(57)【要約】【課題】集草容器内での搬送草の堆積状況を直接把握でき、かつ、視認しやすい構成を備える乗用型草刈機を提供する。【解決手段】運転操縦席１３を備えた走行機体１の後方に集草容器３０を配置し、集草容器３０の上面を後上がり傾斜面に形成し、傾斜面に集草容器３０の内部を視認することができる覗き窓３１Ｂを形成してある。【選択図】図１
2010178635.tif 000002
【特許請求の範囲】
【請求項１】
運転操縦席を備えた走行機体の後方に集草容器を配置し、前記集草容器の後上がり傾斜状態にある上面に、前記集草容器の内部を視認することができる覗き窓を形成してある乗用型草刈機。
【請求項２】
前記運転操縦席と前記集草容器の間にロプスを立設し、前記ロプスを上下向き姿勢と後倒れ姿勢とに切換可能に構成し、前記後倒れ姿勢において、前記ロプスを前記集草容器の前記上面に沿った姿勢に切換えるべく構成してある請求項１記載の乗用型草刈機。
【請求項３】
前記ロプスを、左右から立設する脚部と前記脚部の上端同士を連結する横部分で門型に形成し、前記ロプスを上面に沿った後倒れ姿勢に切換えた状態において、前記両脚部と前記横部分で囲む空間内に前記覗き窓が位置するように構成してある請求項２記載の乗用型草刈機。
【発明の詳細な説明】
【技術分野】
【０００１】
本発明は、運転操縦席を備えた走行機体の後方に集草容器を配置してある乗用型草刈機に関する。
【背景技術】
【０００２】
乗用型草刈機において、前後車輪間に位置するミッドマウント型のモーアと、走行機体の後方に位置する集草容器とに亘って配置してある誘導ダクトの側面に覗き窓（公報内名称：内部透視窓５７）を設けて、誘導ダクトでの搬送草の詰まり具合を見分けて、集草容器内での搬送草の堆積状況を推定する構成を採っていた（特許文献１参照）。
【先行技術文献】
【特許文献】
【０００３】
【特許文献１】特公平５−４０４２号公報（公報第３頁第５欄第２９行目から第３４行目、第２図、第５図）
【発明の概要】
【発明が解決しようとする課題】
【０００４】
上記した構成においては、誘導ダクト内での搬送草の詰まり具合を視認でき、それによって集草容器内の搬送草の堆積具合を推定することはできる。しかし、直接、集草容器内の堆積状況を見て把握することはできなかった。
【０００５】
本発明の目的は、集草容器内での搬送草の堆積状況を直接把握でき、かつ、視認しやすい構成を備える乗用型草刈機を提供する点にある。
【課題を解決するための手段】
【０００６】
〔構成〕
請求項１に係る発明の特徴構成は、運転操縦席を備えた走行機体の後方に集草容器を配置し、前記集草容器の後上がり傾斜状態にある上面に、前記集草容器の内部を視認することができる覗き窓を形成してある点にあり、その作用効果は次の通りである。
【０００７】
〔作用〕
集草容器の上面に覗き窓を形成したので、その覗き窓を通して集草容器内での搬送草の堆積状況を直接視認することができる。
しかも、その覗き窓を設けてある集草容器の上面が後上がりの傾斜状態にあるので、作業者が無理に上から覗き込む必要がなく、運転操縦席に座った状態等の楽な姿勢で視認することができる。
【０００８】
〔効果〕
したがって、集草容器内の堆積状況を確実に把握でき、かつ、その確認姿勢も楽なものにできる乗用型草刈機を提案できるに至った。
【０００９】
〔構成〕
請求項２に係る発明の特徴構成は、前記運転操縦席と前記集草容器の間にロプスを立設し、前記ロプスを上下向き姿勢と後倒れ姿勢とに切換可能に構成し、前記後倒れ姿勢において、前記ロプスを前記集草容器の前記上面に沿った姿勢に切換えるべく構成してある点にあり、その作用効果は次の通りである。
【００１０】
〔作用効果〕
果樹園等で草刈作業を行う場合は、樹木の枝等との接触を回避する観点よりロプスを後倒れ姿勢に倒伏させる必要がある。その場合に、ロプスを集草容器の傾斜状態にある上面に沿った後倒れ姿勢に切換えることができるので、ロプス高さを低くして樹木の枝等との接触を回避しながら作業を行うことが可能になる乗用型草刈機を提案できるに至った。
【００１１】
〔構成〕
請求項３に係る発明の特徴構成は、前記ロプスを、左右から立設する脚部と前記脚部の上端同士を連結する横部分で門型に形成し、前記ロプスを前記上面に沿った後倒れ姿勢に切換えた状態において、前記両脚部と前記横部分で囲む空間内に前記覗き窓が位置するように構成してある点にあり、その作用効果は次の通りである。
【００１２】
〔作用効果〕
ロプスが集草容器の上面に沿った後倒れ姿勢に設定された場合に、ロプスを構成する両脚部と横部分とが囲む空間内に覗き窓が位置するので、ロプスを後倒れ姿勢に切換えて作業を行う場合に、ロプスの両脚部や横部分に遮られることなく集草容器内の刈草の堆積状況を視認することが容易に行える乗用型草刈機を提案できるに至った。
【図面の簡単な説明】
【００１３】
【図１】乗用型草刈機の全体側面図である。
【図２】乗用型草刈機の全体平面図である。
【図３】ロプスと集草容器の取付状態を示す側面図である。
【図４】ロプスを後倒れ姿勢に切換えた状態を示す側面図である。
【図５】集草容器の蓋体部を開き姿勢に切換えた状態を示す側面図である。
【図６】容器本体部と蓋体部とのラビリンス構造を示し、（ａ）は蓋体部を閉じた姿勢に切換えた状態を示し、（ｂ）は蓋体部を開いた姿勢に切換えた状態を示す側面図である。
【図７】ブレード径の異なるモーアに切換える際に、ブロア位置を移動調節できる構造を示す平面図である。
【図８】集草容器に差し込まれたダクトを示す縦断側面図である。
【図９】自立脚を示す側面図である。
【図１０】ロプスを後倒れ姿勢に切換えた状態での、ロプスと覗き窓との関係を示す平面図である。
【発明を実施するための形態】
【００１４】
〔乗用型草刈機の全体構成〕
図１に、本発明に係る乗用型草刈機の全体側面が、また、図２にその全体平面がそれぞれ示されている。この乗用型草刈機は、機体フレーム１０の前端側にキャスタ式の遊転輪に構成された左右一対の前輪１１を備え、機体フレーム１０の後端側に左右一対の駆動輪で構成された後輪１２を備えて走行機体１を構成し、この走行機体１の前後輪間に、バーブレード型のモーア４が昇降自在に吊り下げ支持された、いわゆるミッドマウント仕様に構成されている。
【００１５】
走行機体１の後部にはエンジンボンネット２０内に水冷式ディーゼルエンジン２１及びラジエータ２７を収容した原動部２が、機体フレーム１０の後側フレーム部分に配備されるとともに、走行機体１の前後中間部位には運転操縦席１３が配備されている。
機体フレーム１０における前側フレーム部分には、運転操縦席１３の足元に位置するステップ１５が搭載装着されるとともに、運転操縦席１３の左右にはフェンダ１６が配備されている。運転操縦席１３の後方には、モーア４からの搬送草を収容する集草容器３０が設けてあり、この集草容器３０の両側面に自立脚４３が装着してある。
【００１６】
運転操縦席１３と集草容器３０との間には門形のロプス１４が上下向き姿勢に立設固定されている。図１、図３〜図５、図１０に示すように、ロプス１４は、フェンダ１６を貫通して上方に突出する左右の基端部１４Ａと、左右基端部１４Ａの上端に支点Ｘ１周りに
後方に折り畳み可能に連設された門形フレーム部１４Ｂとで構成されている。
【００１７】
門型フレーム部１４Ｂは、上下向き姿勢の立ち姿勢と後倒れ姿勢とに切換えられる。門型フレーム部１４Ｂを、後倒れ姿勢に切換えることによって、樹木の幹回りの草刈り時に張出した枝に引っ掛かけることなく作業ができる。
左右基端部１４Ａの上端には、位置決め用のピン孔１４ａが形成されており、門型フレーム部１４Ｂの下端位置には、円形の位置決めディスク１４Ｃが取り付けてあり、位置決めディスク１４Ｃの二箇所に位置決め用のピン孔１４ｂが形成してある。
【００１８】
このような構成によって、図３に示すように、門型フレーム部１４Ｂを上下姿勢に設定すると、位置決めディスク１４Ｃの一方のピン孔１４ｂと基端部１４Ａのピン孔１４ａとが同一軸芯上に位置し、位置決め固定ピン１４ｃを両ピン孔１４ａ、１４ｂに貫通させて差込装着することによって、門型フレーム部１４Ｂを上下姿勢に維持する。
【００１９】
この上下姿勢より、位置決め固定ピン１４ｃを取り外し、図４及び図１０に示すように、門型フレーム部１４Ｂを後倒れ姿勢に切換え、位置決めディスク１４Ｃの他方のピン孔１４ｂと基端部１４Ａのピン孔１４ａとが同一軸芯上に一致した場合に、位置決め固定ピン１４ｃを両ピン孔１４ａ、１４ｂに貫通させて差込装着することによって、門型フレーム部１４Ｂを後倒れし姿勢に維持することができる。
【００２０】
後記するように、門型フレーム部１４Ｂが後倒れ姿勢に切換えられた状態で、門型フレーム部１４Ｂは、集草容器３０の容器本体部３１における後上がり傾斜状態となっている上面に沿った姿勢となっている。
【００２１】
〔モーア等への伝動構造〕
左右の後輪１２を駆動する静油圧式無段変速装置２５は、運転操縦席１３の左右両脇に前後揺動操作可能に配備された左右一対の走行レバー１７を各別に揺動操作することで、左右の後輪１２をそれぞれ独立して無段階に前後進変速するよう構成されている。
図１に示す中立停止の状態から、左右の走行レバー１７の同時同方向の操作で直進前後進、左右各別の操作でピボットターン、および、スピンターンを任意に行うことができるようになっている。
【００２２】
〔モーアの構成〕
モーア４は、四連リンク構造のリンク機構１８を介して吊り下げ支持された構造となっている。モーア４は、下向きに開放されたモーアデッキ４０の内部に、縦軸心周りに回転駆動される３枚の回転ブレード４１が、中央の回転ブレード４１が少し前方に偏位するよう平面視で三角配置されて軸支された構造となっており、走行機体１が直進移動した際に、隣接する回転ブレード４１同士の先端回動軌跡の左右端が部分的に重複して、刈残しの無い草刈が行えるようになっている。
【００２３】
モーア４の右側端には、支持フレーム２６を介してブロワ２８が取付配置してある。ブロワ２８の後端排出口側には誘導ダクト２９が接続されており、誘導ダクト２９の後端送出部２９Ａを集草容器３０の前面に接続して、モーア４で刈り取った刈草を集草容器３０内に投入すべく構成してある。
【００２４】
次に、モーア４の仕様を変更した場合の対応について説明する。図７に示すように、ブレード径の異なる大型のモーア４に切換える場合には、従来は、モーア４のブロワ２８に対する排出口が異なる位置になるので、ブロワ２８を支持する支持フレーム２６を専用のものに取り換えていた。
【００２５】
これに対して、本願発明においては、支持フレーム２６等に改造を施すことによって対応することとした。支持フレーム２６自体は次のような構成になっている。
つまり、支持フレーム２６はパイプフレームをＵ字型に曲げ形成したものであり、Ｕ字型パイプフレームの一端２６Ａをモーアデッキ４Ａのボス部４ａ内に差込み装着し、他端２６Ｂにブラケット２６ｂを取り付けてモーアデッキ４Ａ側のブラケット４ｂにボルト連結してある。
【００２６】
一方、ブロワ２８のケース２８Ａには前端部と横右側端部とに、前ブラケット２８ａと、横ブラケット２８ｂとが設けてある。前ブラケット２８ａを支持フレーム２６の前フレーム部２６Ａに載置し、横ブラケット２８ｂを支持フレーム２６の横フレーム部２６Ｂに載置し、ボルト止め固定してある。
この状態から大型のモーア４に切換える場合には、図に示す位置から仮想線で示すようにモーア４を後方に位置変更させて、前ブラケット２８ａと横ブラケット２８ｂのボルト止め位置を変更する。これによって、支持フレーム２６を取り換えることなく、モーア４のサイズの変更に対応することができる。
【００２７】
以上の構成は、モーア４のサイズを切換える場合に、支持フレーム２６に対してブロワ２８を移動調節する構成を示したが、支持フレーム２６自体を調節する構成を採ってもよい。図示はしていないが、前記したＵ字型パイプフレームの中間位置を伸縮自在に構成して、支持フレーム２６を伸縮自在な二部材で構成する。モーア４のサイズを変更する場合には、支持フレーム２６を構成する二部材のうちの一方をブロワ２８とともに移動させて、モーア４の排出口位置と一致するように移動調節を施す構成を採ってもよい。
【００２８】
なお、支持フレーム２６の一端２６Ａをモーアデッキ４Ａのボス部４ａ内に差込む量を変更し、他端２６Ｂのブラケット２６ｂをモーアデッキ４Ａ側のブラケット４ａに対するボルト連結位置を変更することによって、モーア４の機体左右方向での取付位置を調節することが可能である。
【００２９】
〔誘導ダクト〕
図２及び図８に示すように、誘導ダクト２９はブロワ２８との接続部２９Ｂから集草容器３０の前面右側部分おいて連結される後端送出部２９Ａまで、略一定の傾斜を維持しながら、直線的に形成されている。誘導ダクト２９は集草容器３０内において、その容器内放出部２９Ｃが集草容器３０の左右中心位置に向かって曲げ形成されており、その左右中心位置近くまで延出されている。
ただし、誘導ダクト２９の集草容器２０内に位置する部分は、円筒状のダクトの内下半分が切りかかれており、この切欠き部分から搬送刈り草が集草容器３０内に落下供給されるようになっている。
【００３０】
従来は、集草容器３０に接続する直前において略直角に曲げ形成し、ダクトの接続部を左右方向に姿勢変更した状態で集草容器３０内に差し入れることとしていた。これに対して、誘導ダクト２９を曲げずに直線的に集草容器３０内に差し入れてあるので、搬送途中での詰まりを抑制できる。
【００３１】
〔集草容器の構成〕
集草容器３０は、図３〜図５に示すように、機体フレーム１０に取付固定される容器本体部３１と、容器本体部３１の後端に横軸芯Ｘ２周りで揺動可能に取り付けられた蓋体部
３２とで構成されている。
容器本体部３１は、横側面視で断面が略逆三角形状を呈する箱状体を呈しており、角材等からなる枠フレーム３１Ａを組み合わせ配置して構成されている。枠フレーム３１Ａの外側面には、通風用の孔を多数形成した多孔体３１Ｄを被せている。容器本体部３１の上端における前面から前方に向けて連結アーム３１ｂが延出してあり、連結アーム３１ｂの先端をロプス１４の基端部１４Ａにボルト連結してある。一方、容器本体部３１の下端位置に連結ブラケット３１ｄを設け、連結ブラケット３１ｄを、エンジン支持フレーム１０Ａから後向きに延出されたブラケット１０ａに連結して、集草容器３０が機体フレーム１０に支持される。
【００３２】
連結用のボルト３１ｅは連結アーム３１ｂに取り付けてあるボス部に保持されており、ボス部にはボルト３１ｅを連結方向に付勢するバネを収納してある。
このような構成によって、連結アーム３１ｂとロプス１４の基端部１４Ａとのボルト連結を解除すれば、集草容器３０を取り外すことができる。
【００３３】
図１及び図２に示すように、容器本体部３１の上面は後上りの傾斜姿勢となっており、上面の中央位置に横長の開口部を形成して、容器本体部３１の内部を覗くことのできる覗き窓３１Ｂを形成してある。覗き窓３１Ｂには開口部を塞ぐように、透明の樹脂板がはめ込んである。
このように、傾斜面に覗き窓３１Ｂを形成してあるので、運転操縦席１３から振り向くことによって、運転操縦席１３から離れることなく、覗き見ることが容易になった。
【００３４】
覗き窓３１Ｂは、誘導ダクト２９の容器内放出部２９Ｃにおける先端部の直上方に位置する状態で（図８参照）、平面視で容器内放出部２９Ｃの先端部が覗き窓３１Ｂの右側部後部に位置しかつ容器内放出部２９Ｃの先端部の放出箇所（放出される刈草）が視認できる状態で（図２参照）、容器本体部３１の上面に形成されている。これにより、容器内に放出される刈草の放出状態やつまり具合を容易に確認できる。また、覗き窓３１Ｂは運転操縦席１３の左右中央より左右一方側（本実施形態の例では右側）に位置ずれした状態で配置されているので（図２参照）、運転操縦席１３から後方に振り向いての覗き窓３１Ｂの確認が更に行い易いものとなる。
【００３５】
また、図４及び図１０に示すように、ロプス１４の門型フレーム部１４Ｂは、左右から立設する脚部１４Ｄと脚部１４Ｄの上端同士を連結する横部分１４Ｅで門型に形成されている。
図１０に示すように、ロプス１４を上面に沿った後倒れ姿勢に切換えた状態において、両脚部１４Ｄと横部分１４Ｅで囲む空間内に覗き窓３１Ｂが位置するように構成してある。
このように構成してあるので、運転操縦席１３から後方視した場合にも、ロプス１４の両脚部１４Ｄと横部分１４Ｅに遮られることなく、覗き窓３１Ｂを視認できる。
【００３６】
〔蓋体部〕
蓋体部３２は、図３〜図５に示すように、略矩形状の断面を有するように、パイプ材を曲げ形成して構成した蓋本体部３２Ａと、蓋本体部３２Ａを覆う多孔体３２Ｄとで構成してある。容器本体部３１の上面と蓋体部３２の上面とに亘って設けてあるヒンジ３４によって、蓋体部３２は、揺動開閉自在に容器本体部３１に取付構成してある。
蓋体部３２の上半部分には、その部分を更に覆うカバー体３３が設けてある。
【００３７】
蓋体部３２と容器本体部３１との合わせ部分におけるラビリンス構造について説明する。図６に示すように、容器本体部３１の下端位置に、枠フレーム３１Ａの内、左右の前端部に位置する左右前端枠フレーム部３１ａの下端部に亘って、後方に向けて突出する断面山形状のスライドガイド部３１Ｅが設けてある。
したがって、容器本体部３１に貯留された刈草は、蓋体部３２を揺動開放すると、このスライドガイド部３１Ｅを滑って放出される。
【００３８】
図６（ａ）（ｂ）に示すように、蓋体部３２には、蓋本体部３２Ａの下向き傾斜姿勢にある下端パイプ部３２ａを左右に設けてある。左右に配置した下端パイプ部３２ａの下面に亘って受止板３２Ｂが装着してあり、受止板３２Ｂの下端が下端パイプ部３２ａより斜め下方に突出する状態で装着してある。
【００３９】
尚、スライドガイド部３１Ｅの下端位置は、左右前端枠フレーム部３１ａの下端位置より上方に位置している。このような構成によって、図６（ａ）に示すように、蓋体部３２を閉じ姿勢に設定した場合には、蓋体部３２の下端パイプ部３２ａの下端がスライドガイド部３１Ｅのガイド面に近接する状態になるとともに、受止板３２Ｂがスライドガイド部３１Ｅの下向き面３１ｃの下方に回り込み近接する状態で配置される。
このような構成によって、受止板３２Ｂの下端上向き面３２ｂとスライドガイド部３１Ｅの下向き面３１ｃとの間に、微小な間隙が形成され、ラビリンス構造を形成している。
【００４０】
蓋体部３２の開閉操作構造について説明する。図２から図５に示すように、容器本体部３１の上面の左右端にブラケット３５を立設し、左ブラケット３５に開閉操作レバー３６を軸支してある。開閉操作レバー３６の揺動操作軸芯位置に連動アーム３７を軸支してあり、開閉操作レバー３６と一体で揺動作動すべく構成してある。
【００４１】
開閉操作レバー３６は、先端に握り部３６ａを取り付けた操作ロッド３６Ａと、操作ロッド３６Ａを自身の軸線方向にスライド移動自在に保持する保持ケース３６Ｂとからなり、保持ケース３６Ｂを前記したブラケット３５に軸支して、上下揺動作動すべく構成してある。
ブラケット３５の後方で容器本体部３１の上面には、操作ロッド３６Ａの後端部を挿入する保持ボス部３１Ｆが固着されており、図３及び図４に示すように、この保持ボス部３１Ｆ内に操作ロッド３６Ａの後端を差込装着することによって、開閉操作レバー３６が揺動することを阻止している。この状態では、蓋体部３２が閉塞状態にある。
【００４２】
蓋体部３２を開放操作するには、まず、操作ロッド３６Ａを保持ケース３６Ｂに対してスライド操作して前方に移動させて、保持ボス部３１Ｆ内に保持されていた操作ロッド３６Ａの後端部を引き出して、保持状態を解除する。図５に示すように、その解除状態から操作ロッド３６Ａを押し下げ操作すると、操作ロッド３６Ａと保持ケース３６Ｂとが一体でブラケット３５の軸芯Ｙ周りに揺動作動する。この操作ロッド３６Ａ等の揺動作動を受けて、下記のリンク構造によって蓋体部３２は揺動開放される。
【００４３】
リンク構造は以下のようになっている。連動アーム３７の下方で容器本体部３１の下端位置にベルクランク状のロックアーム３９が設けてある。連動アーム３７とロックアーム３９とが上下向き姿勢の第１連動リンク４０で連係してある。一方、連動アーム３７と蓋体部３２の上端部とが斜め姿勢の第２連動リンク４２で連係してある。ロックアーム３９には付勢バネ３８が係止してあり、ロックアーム３９をロック方向に付勢すべく構成してある。
【００４４】
他方、図２に示すように、容器本体部３１の上面の右端にもブラケット３５を立設して、左右のブラケット３５同士に亘って横向きの連動軸４４を架設し、左側に設けた操作機構と同様に、右側にも、連動アーム３７、ロックアーム３９、第１連動リンク４０、第２連動リンク４２を配置してある。
以上のような構成によって、図５に示すように、開閉操作レバー３６を引き出して保持ボス部３１Ｆでの保持状態を解除して、左手で握って押し下げ操作すると、左右の連動アーム３７が回転して、ロックアーム３９のロック作用を解除しながら、蓋体部３２を第２連動リンク４２で後方に押し開き操作する。
【００４５】
〔自立脚〕
集草容器３０を取り外した場合の自立用の自立脚４３について説明する。図２に示すように、自立脚４３は、容器本体部３１の両横側面に取り付けられて左右に配置してあり、パイプ材を略Ｌ字型に組み合わせ構成したものである。
自立脚４３は、図９に示すように、上下向き姿勢の支柱部４３Ａと支柱部４３Ａの下端に直交する状態で取り付けてある前後向き姿勢の接地脚部４３Ｂとからなる。支柱部４３Ａには、支柱部４３Ａの軸線方向に沿った上下二箇所に、かつ、その上下二箇所における円周方向二箇所においても係合凹部４３ａを複数段に亘って設けてある。
一方、接地脚部４３Ｂには前後端に横外向きに踏ん張り部４３ｂが設けてある。
【００４６】
図９に示すように、自立脚４３を容器本体部３１の枠フレーム３１Ａにおける前端横側フレーム部３１ａから後向きにブラケット４５が立設され、ブラケット４５の先端に保持ボス４６が固定してある。保持ボス４６には、弾性変形可能な係合保持具４７が取り付けてあり、この係合保持具４７の弾性突起部（図示せず）を支柱部４３Ａに形成してある係合凹部４３ａに係合させることによって、自立脚４３を容器本体部３１に取付保持することができる。
【００４７】
つまり、自立脚４３を使用しない場合には、図９に示すように、支柱部４３Ａを保持ボス４６内に差込み装着し、下側の係合凹部４３ａに弾性突起部を嵌合させて、自立脚４３を容器本体部３１に保持するように構成してある。
集草容器３０を取り外して自立させる場合には、図示してはいないが、自立脚４３の支柱部４３Ａを下方に押し下げて、上側の係合凹部４３ａを保持ボス４６内に位置させて、弾性突起部で支柱部４３Ａを保持して、接地脚部４３Ｂを接地状態に保持することができる。
【００４８】
自立脚４３を保持する構成として、支柱部４３Ａの係合凹部４３ａと弾性突起部４７ａとを係合させることによって行っているが、止ネジ等をネジ込む構成を採ってもよい。
【００４９】
〔別実施形態〕
（１）上記実施形態では、集草容器３０の上面が後上がり傾斜面に形成してある点について記載したが、集草容器３０を乗用型草刈機に搭載した状態で、集草容器３０の上面が後上がり傾斜面に設定されていればよい。
（２）上記実施形態では、ロプス１４を装備する乗用型草刈機に適用した形態を説明したが、ロプス１４を装備しない乗用型草刈機に適用してもよい。
【産業上の利用可能性】
【００５０】
本発明の乗用型草刈機は、果樹園等の作業のみならず、ゴルフ場や公園の芝刈りに使用できる。
【符号の説明】
【００５１】
１      走行機体
１３    運転操縦席
１４    ロプス
１４Ｄ  脚部
１４Ｅ  横部分
３０    集草容器
３１Ｂ  覗き窓
【図１】
2010178635.tif 000003
【図２】
2010178635.tif 000004
【図３】
2010178635.tif 000005
【図４】
2010178635.tif 000006
【図５】
2010178635.tif 000007
【図６】
2010178635.tif 000008
【図７】
2010178635.tif 000009
【図８】
2010178635.tif 000010
【図９】
2010178635.tif 000011
【図１０】
2010178635.tif 000012